(57)【要約】【課題】内圧によってシール性が低下することを防ぐことが可能なグロメットを提供する。【解決手段】パネルＰに形成された開口部Ｈに取り付けられるグロメット１０であり、前記グロメット１０は、前記開口部Ｈの周縁部に密着可能なパネル密着部２０を有し、前記パネル密着部２０は、径方向の内側に位置する内リップ２１と外側に位置する外リップ２２とを有し、前記内リップ２１のうち少なくとも前記開口部Ｈの周縁部に密着する先端側の部分は、先端に向かって内向きに傾斜した形状とされ、前記外リップ２２のうち少なくとも前記開口部Ｈの周縁部に密着する先端側の部分は、先端に向かって外向きに傾斜した形状とされている。【選択図】図９
2017050233.tif 000002
【特許請求の範囲】
【請求項１】
パネルに形成された開口部に取り付けられるグロメットであり、
前記グロメットは、前記開口部の周縁部に密着可能なパネル密着部を有し、
前記パネル密着部は、径方向の内側に位置する内リップと外側に位置する外リップとを有し、
前記内リップのうち少なくとも前記開口部の周縁部に密着する先端側の部分は、先端に向かって内向きに傾斜した形状とされ、前記外リップのうち少なくとも前記開口部の周縁部に密着する先端側の部分は、先端に向かって外向きに傾斜した形状とされているグロメット。
【請求項２】
前記内リップおよび前記外リップが前記開口部の周縁部に密着することによって、前記外リップおよび前記内リップの内側が負圧になる請求項１に記載のグロメット。
【請求項３】
前記内リップと外リップとの間に、弾性的に圧縮した状態で前記開口部の周縁部に密着可能な潰し込み部が備えられている請求項１または請求項２に記載のグロメット。
【発明の詳細な説明】
【技術分野】
【０００１】
本発明は、グロメットに関する。
【背景技術】
【０００２】
従来、パネルに形成された開口部にグロメットを取り付けて、開口部への水の浸入を防ぐことが知られている。例えば、下記特許文献１に記載のグロメットは、開口部の周縁部に密着可能なパネル密着部を有している。パネル密着部は、先端に向かって外向きに傾斜した薄肉片を有し、グロメットを装着したホルダをパネルの開口部に取り付けると、薄肉片の先端部が開口部の全周にわたって密着するようになっている。
【先行技術文献】
【特許文献】
【０００３】
【特許文献１】特開２００９−２５２５５９号公報
【発明の概要】
【発明が解決しようとする課題】
【０００４】
しかしながら、上記のような構成のグロメットでは、パネル密着部の薄肉片が、外圧によってはパネルに強く密着するけれども、内圧によってはパネルから離れやすい（浮きやすい）形態をなしている。このため、内圧によってシール性が低下する虞があり、対策が望まれていた。
【０００５】
本発明は上記のような事情に基づいて完成されたものであって、内圧によってシール性が低下することを防ぐことが可能なグロメットを提供することを目的とする。
【課題を解決するための手段】
【０００６】
本発明のグロメットは、パネルに形成された開口部に取り付けられるグロメットであり、前記グロメットは、前記開口部の周縁部に密着可能なパネル密着部を有し、前記パネル密着部は、径方向の内側に位置する内リップと外側に位置する外リップとを有し、前記内リップのうち少なくとも前記開口部の周縁部に密着する先端側の部分は、先端に向かって内向きに傾斜した形状とされ、前記外リップのうち少なくとも前記開口部の周縁部に密着する先端側の部分は、先端に向かって外向きに傾斜した形状とされている。
【発明の効果】
【０００７】
本発明によれば、外圧によっては外リップが開口部の周縁部に強く押し付けられ、内圧によっては内リップが開口部の周縁部に強く押し付けられるから、内圧によってシール性が低下することを防ぐことができる。
【図面の簡単な説明】
【０００８】
【図１】本実施例におけるグロメットであって、ホルダに装着されてパネルに取り付けられた状態を示す断面図
【図２】ホルダに装着された状態のグロメットを示す正面図
【図３】ホルダを示す正面図
【図４】ホルダを示す側面図
【図５】ホルダを示す底面図
【図６】グロメットを示す正面図
【図７】グロメットを示す側面図
【図８】グロメットを示す底面図
【図９】グロメットが装着されたホルダをパネルに取り付ける前の状態を示す断面図
【図１０】グロメットが装着されたホルダをパネルに取り付ける前の状態を示す一部切欠底断面図
【図１１】パネルに密着する前の状態のパネル密着部を示す図１０の一部拡大断面図
【図１２】パネルに密着した状態のパネル密着部を示す一部拡大断面図
【発明を実施するための形態】
【０００９】
本発明の好ましい形態を以下に示す。
本発明のグロメットは、前記内リップおよび前記外リップが前記開口部の周縁部に密着することによって、前記外リップおよび前記内リップの内側が負圧になるものとしてもよい。このような構成によれば、パネル密着部が開口部の周縁部に吸着するから、グロメットにパネルから離れる向きの力が作用する場合に、特に有利なものとすることができる。
【００１０】
また、本発明のグロメットは、前記内リップと外リップとの間に、弾性的に圧縮した状態で前記開口部の周縁部に密着可能な潰し込み部が備えられているものとしてもよい。このような構成によれば、潰し込み部は圧外および内圧によって変形しにくく、パネルに密着した状態に保持されるから、シール性をより高めることができる。
【００１１】
＜実施例＞
以下、本発明を具体化した一実施例について、図１〜図１２を参照しつつ詳細に説明する。
本実施例におけるグロメット１０は、ホルダ３０に装着されて、パネルＰに形成された開口部Ｈに取り付けられるものである。パネルＰは高さ方向に沿った板状をなし、開口部Ｈは、縦長（高さ方向に長い）の形状に形成されている。以下、各構成部材において、図１の左側（パネルＰへの取り付け方向における前側）を前方、右側を後方とし、また図１の上側を上方、下側を下方として説明する。
【００１２】
ホルダ３０は、合成樹脂製であって、全体として縦長のブロック形状をなしている。ホルダ３０には、内部に端子金具Ｔが収容される端子収容部３１が備えられている。端子収容部３１には、複数のキャビティ３１Ａが縦横に並べられており、各キャビティ３１Ａには、電線Ｗの端末部に接続された雌型の端子金具Ｔが収容されて抜け止めされている。
【００１３】
ホルダ３０には、電線Ｗの端末部に接続されたサブコネクタ３２が収容されるようになっている。サブコネクタ３２は、扁平な箱型をなし、内部には電線Ｗの端末部に接続された雌型の端子金具Ｔが複数収容されている。
【００１４】
ホルダ３０には、サブコネクタ３２が収容されるコネクタ収容部３３が備えられている。コネクタ収容部３３は、ホルダ３０の高さ方向に２つ並べて設けられている。
【００１５】
ホルダ３０には、スライドレバー３４が装着されている。スライドレバー３４をスライド移動することにより、相手側コネクタＣとの嵌合・離脱がなされる。
ホルダ３０には、パネルＰの前面側に係止する係止部３５が複数設けられている。係止部３５は、ホルダ３０の左右両面に上下一対ずつ設けられている。各係止部３５は、後方へ向かって片持ち状に延出する形態をなしている。
【００１６】
ホルダ３０の後端部には、グロメット１０が装着される装着部３６が設けられている。装着部３６は、ホルダ３０の外周面から外側に突出した形態のフランジ部３７を有している。フランジ部３７は、ホルダ３０の上下左右に設けられている。フランジ部３７は、係止部３５の後方位置を除いたホルダ３０の略全周にわたって設けられている（図３参照）。フランジ部３７の突出寸法は、全体において概ね一定とされている。
【００１７】
ホルダ３０の後端部には、後方へ突出する突出片部３８が設けられている。突出片部３８は、ホルダ３０の左右両側に上下一対ずつ設けられている。突出片部３８は、高さ方向において係止部３５と同じ位置に設けられている。
【００１８】
グロメット１０はゴム製であって、図１に示すように、ホルダ３０の後面を覆う本体部１１と、ホルダ３０の後方に引き出された電線Ｗの束を覆う電線挿通部１２とを備えている。電線挿通部１２は、図８に示すように、前後方向（図８では左右方向）よりも左右方向（図８では上下方向）の寸法が大きい略長円形の筒状をなしている。電線挿通部１２は、本体部１１の後端部から下方（前後方向に対して略直交する方向）に突出している。
【００１９】
本体部１１は、前方に向かって開口する形態をなし、前端部には、ホルダ３０の装着部３６に取り付けられる取付部１３が設けられている。取付部１３は、ホルダ３０の装着部３６に対応した略長方形の枠状をなしている（図６参照）。取付部１３は、装着部３６のフランジ部３７の後面に沿う後壁１４と、フランジ部３７の突出端面に沿う外壁１５と、フランジ部３７の前面に沿う前壁１６とを備えている。後壁１４の壁厚寸法（前後方向の寸法）および外壁１５の壁厚寸法（内外方向の寸法）は、概ね同じ寸法とされている。前壁１６の壁厚寸法（前後方向の寸法）は、後壁１４および外壁１５の壁厚寸法よりも若干小さくされている。
【００２０】
取付部１３には、後壁１４、外壁１５および前壁１６に囲まれて嵌合溝部１７が形成されている。嵌合溝部１７は、取付部１３の全周にわたって連続して形成されている。取付部１３の嵌合溝部１７に装着部３６のフランジ部３７が嵌合することにより、グロメット１０はホルダ３０に取り付けられる。
【００２１】
グロメット１０は、パネルＰの開口部Ｈの周縁部に密着可能なパネル密着部２０を有している。パネル密着部２０は、取付部１３の前壁１６の前面に突出して設けられている。パネル密着部２０は、取付部１３の全周に連続して形成されている。パネル密着部２０の断面形状は、全周において概ね同じ形状とされている。パネル密着部２０の先端における内外方向の寸法は、フランジ部３７の前壁１６の内外方向の寸法と同等とされている。
【００２２】
パネル密着部２０は、径方向の内側に位置する内リップ２１と外側に位置する外リップ２２とを有している。内リップ２１と外リップ２２とは、内外方向に若干離れて設けられている。内リップ２１は、略全体が先端に向かって内向きに傾斜した形状とされている。また、外リップ２２は、略全体が先端に向かって外向きに傾斜した形状とされている。内リップ２１および外リップ２２は、内リップ２１と外リップ２２との間の内外方向における中心を挟んで対称な形状をなしている。
【００２３】
内リップ２１と外リップ２２とは、図１１に示すように、パネル密着部２０の基端部（後端部）から先端部（前端部）に向かってラッパ状に開いた形状をなしている。内リップ２１と外リップ２２とは、基端部２１Ａ，２２Ａ同士が近接して配され、先端部２１Ｂ，２２Ｂに向かって次第に内外方向に離れるように同等の勾配で傾斜している。すなわち内リップ２１と外リップ２２との内外方向の間隔は、基端部２１Ａ，２２Ａの間において最も小さく、先端部２１Ｂ，２２Ｂの間において最も大きくなっている。内リップ２１と外リップ２２とは、略直角をなしている。
【００２４】
内リップ２１および外リップ２２の先端面２１Ｃ，２２Ｃは、いずれも略半円弧形状をなして前方に突出している。内リップ２１の先端面２１Ｃおよび外リップ２２の先端面２２Ｃは、前後方向における位置が揃っている。
【００２５】
内リップ２１と外リップ２２とにおいて厚さ寸法（内外方向の寸法）および前後方向の寸法は同等とされている。なお、内リップ２１および外リップ２２は、基端から先端まで厚さ寸法が概ね一定とされている。
【００２６】
内リップ２１の基端部２１Ａの内側、および外リップ２２の基端部２２Ａの外側には、窪み部２３が形成されている。窪み部２３は、内外方向における中心が後側に位置するように凹んだ溝形状をなしている。窪み部２３は、全周にわたり連続して形成されている。
【００２７】
パネル密着部２０は、弾性的に圧縮した状態で開口部Ｈの周縁部に密着可能な潰し込み部２４を有している。潰し込み部２４は、内リップ２１と外リップ２２との間に位置している。
【００２８】
潰し込み部２４は、内リップ２１および外リップ２２よりも前後方向の寸法が小さく（半分程度）されている。潰し込み部２４は、先端に向かって若干外向きに傾斜している。潰し込み部２４は、外リップ２２よりもパネルＰの板面に対して垂直に近い勾配とされている。
【００２９】
潰し込み部２４の厚さ寸法は、内リップ２１および外リップ２２の厚さ寸法よりも小さくされている。潰し込み部２４の厚さ寸法は、基端側よりも先端側が若干小さくなっている。
【００３０】
潰し込み部２４の基端部（後端部）２４Ａは、内リップ２１の基端部２１Ａと外リップ２２の基端部２２Ａとの間の略中心に位置している。潰し込み部２４の基端部２４Ａと内リップ２１の基端部２１Ａとの間、および潰し込み部２４の基端部２４Ａと外リップ２２の基端部２２Ａとの間には、それぞれ溝部２５が形成されている。溝部２５は、窪み部２３よりも浅く、また幅寸法（内外方向の寸法）が小さくされている。潰し込み部２４の先端部２４Ｂの先端面２４Ｃは、略半円弧形状をなして斜め前方に突出している。
【００３１】
次に、パネルＰに形成された開口部Ｈにグロメット１０を取り付ける作業について説明する。
まず、グロメット１０をホルダ３０に装着し、グロメット付きのホルダ３０をパネルＰに対して後方から取り付ける。ホルダ３０をパネルＰの開口部Ｈに後方から挿入すると、係止部３５がパネルＰに当接して内側に弾性変位する。ホルダ３０が正規の取付位置に至ると、係止部３５がパネルＰの前方に至って弾性復帰し、パネルＰの前面側に係止する。これにより、ホルダ３０は、パネルＰに対して正規の取り付け位置にロックされ、ホルダ３０に装着されたグロメット１０はパネルＰに取り付けられた状態になる。
【００３２】
このとき、パネル密着部２０は、先端側の部分がパネルＰの後面に押し付けられて密着している。パネル密着部２０は、図１２に示すように、先端側の部分が内外両方向に広がり、略全体がパネルＰに接近するように平たく潰れた形状になる。
【００３３】
詳しくは、外リップ２２の先端部２２Ｂは、パネルＰの板面に沿って外側に変位し、パネルＰの板面に密着した状態になる。このとき、外リップ２２の先端面２２Ｃは外側を向き、内面（内リップ２１との対向面）がパネルＰに密着する。また、内リップ２１の先端部２１Ｂは、パネルＰの板面に沿って内側に変位し、パネルＰの板面に密着した状態になる。このとき、内リップ２１の先端面２１Ｃは内側を向き、内面（外リップ２２との対向面）がパネルＰに密着する。こうして、内リップ２１および外リップ２２が開口部Ｈの周縁部に密着することにより、外リップ２２および内リップ２１の内側が負圧になる。
【００３４】
また、潰し込み部２４は、先端部２４ＢがパネルＰに突き当たって若干外側に変位し、外リップ２２の基端部２２Ａに接触する。潰し込み部２４は、フランジ部３７とパネルＰとの対向方向（前後方向）に弾性的に圧縮した（潰れた）状態になって開口部Ｈの周縁部に密着する。
以上により、パネルＰに形成された開口部Ｈにグロメット１０を取り付ける作業が完了する。
【００３５】
次に、上記のように構成された実施例の作用および効果について説明する。
本実施例におけるグロメット１０は、パネルＰに形成された開口部Ｈに取り付けられるものであり、開口部Ｈの周縁部に密着可能なパネル密着部２０を有している。パネル密着部２０は、径方向の内側に位置する内リップ２１と外側に位置する外リップ２２とを有し、内リップ２１は、先端に向かって内向きに傾斜した形状とされ、外リップ２２は、先端に向かって外向きに傾斜した形状とされている。この構成によれば、外圧によっては外リップ２２が開口部Ｈの周縁部に強く押し付けられ、内圧によっては内リップ２１が開口部Ｈの周縁部に強く押し付けられるから、内圧によってシール性が低下することを防ぐことができる。
【００３６】
また、内リップ２１および外リップ２２が開口部Ｈの周縁部に密着することによって、外リップ２２および内リップ２１の内側が負圧になる。ここで、上記のような構成のグロメット１０には、電線挿通部１２に作用する電線Ｗの束の弾性復元力（後向きの力）によって、パネルＰから離れる向きの力が作用する。しかしながら、パネル密着部２０が開口部Ｈの周縁部に吸着しているから、グロメット１０のパネル密着部２０はパネルＰから離れることなく確実にパネルＰに密着した状態に保持される。したがって、グロメット１０にパネルＰから離れる向きの力が作用する場合に特に有利である。
【００３７】
また、内リップ２１と外リップ２２との間に、弾性的に圧縮した状態で開口部Ｈの周縁部に密着可能な潰し込み部２４が備えられている。この構成によれば、潰し込み部２４は圧外および内圧によって変形しにくく、パネルＰに密着した状態に保持されるから、シール性をより高めることができる。
【００３８】
＜他の実施例＞
本発明は上記記述及び図面によって説明した実施例に限定されるものではなく、例えば次のような実施例も本発明の技術的範囲に含まれる。
（１）上記実施例では、内リップ２１および外リップ２２の略全体が先端に向かって内向きまたは外向きに傾斜した形状とされているが、これに限らず、内リップおよび外リップは、少なくとも開口部の周縁部に密着する先端側の部分が先述のように傾斜した形状とされればよく、例えば、内リップおよび外リップの基端側の部分は前後方向に略平行な形状であってもよいし、また先端側の部分とは反対向きに傾斜した形状であってもよい。
（２）上記実施例では、内リップ２１と外リップ２２とが離れて設けられているが、これに限らず、例えば内リップと外リップとは、基端側の部分が連結されていてもよく、例えば一方のリップが他方のリップの前後方向の中間部に連結されていてもよい。
（３）上記実施例では、ホルダ３０にサブコネクタ３２が嵌合されるようになっているが、これに限らず、ホルダはどのような形態のものであってもよく、例えばホルダにサブコネクタが嵌合されないものであってもよく、またホルダ全体が一つのコネクタハウジングを構成するものであってもよい。
（４）上記実施例では、内リップ２１および外リップ２２が開口部Ｈの周縁部に密着することによって、外リップおよび内リップの内側が負圧になるものとしているが、必ずしも負圧にならなくてもよい。
（５）上記実施例では、内リップ２１と外リップ２２との間に潰し込み部２４が備えられているが、必ずしも潰し込み部は備えなくてもよい。
【符号の説明】
【００３９】
Ｈ…開口部
Ｐ…パネル
１０…グロメット
２０…パネル密着部
２１…内リップ
２２…外リップ
２４…潰し込み部
【図１】
2017050233.tif 000003
【図２】
2017050233.tif 000004
【図３】
2017050233.tif 000005
【図４】
2017050233.tif 000006
【図５】
2017050233.tif 000007
【図６】
2017050233.tif 000008
【図７】
2017050233.tif 000009
【図８】
2017050233.tif 000010
【図９】
2017050233.tif 000011
【図１０】
2017050233.tif 000012
【図１１】
2017050233.tif 000013
【図１２】
2017050233.tif 000014